(57)【要約】【課題】  免震装置よりは簡易な構造でありながら、地震による被害を抑えることができる制振性を備えた書架を提供する。【解決手段】  本発明の書架１０は、側板１１と、その側板１１同士を繋ぐフレーム１２と、棚板１３と、を有する書架１０であって、棚板１３の背面側に背板２０を備え、その背板２０がバネ材からなるダンパー２１を介してフレーム１２に接続されていることとし、さらに、背板２０が、樹脂製のハニカムコアサンドイッチパネルからなることとしたり、ダンパー２１が防振ゴムからなることにしたりするとよい。【選択図】      図１
2019044805.tif 000002
【特許請求の範囲】
【請求項１】
側板と、該側板同士を繋ぐフレームと、棚板と、を有する書架であって、
前記棚板の背面側に背板を備え、前記背板がバネ材からなるダンパーを介して前記フレームに接続されていることを特徴とする書架。
【請求項２】
前記背板が、樹脂製のハニカムコアサンドイッチパネルからなることを特徴とする請求項１に記載の書架。
【請求項３】
前記ダンパーが、防振ゴムからなることを特徴とする請求項１又は２に記載の書架。
【発明の詳細な説明】
【技術分野】
【０００１】
本発明は、制振性を備えた書架に関する。
【背景技術】
【０００２】
図書館に設置されている書架は、一般家庭用の書架と比べるとサイズが大きく、収納されている書籍の数も多い。例えば、通常の図書館用書架は、一段あたり横幅９００ｍｍ、奥行き２１０ｍｍ、高さ２７５ｍｍの空間を５段から７段ほど配置して、それを連続的に繋げた構造となっている。そのような図書館用の書架が、地震によって倒壊すると、多数の書籍が落下したりして被害が大きくなり、また、復旧に時間がかかる。
【０００３】
そこで図書館では、書架を床にアンカーボルトで固定して地震対策をすることがある。しかし、その場合、床からの地震動が書架に直接伝達することになる。そうすると、収納されている書籍は固定されていないので、高い段から書籍が落下する可能性が高くなる。特に、地震動の方向が書架の奥行方向の場合には、棚板の背面側に設置してある背板から書籍に振動が伝わるため、より書籍の落下が多くなることになる。
【０００４】
他の地震対策として、書架に免震装置を設けることもある（例えば、特許文献１参照）。図５は、書架に設置できる免震装置の一例であり、（ａ）は平面図、（ｂ）は正面図である。このような免震装置１００では、載置台１２０とその上に載る書架の重量を、直交する２方向に復帰力を発生する十字型スライド１３０と、車輪等からなる転動支持手段１２１とで分担支持できるので、十字型スライド１３０の載荷重に対する強度を下げることができ、優れた免震効果を発揮することができるという効果を奏している。
【０００５】
特許文献１には、このような構造の免震装置であれば、安価に製造することができると記載されているが、免震装置そのものが複雑な構造なので、簡易な地震対策と比較すると明らかに高価であり、さらに図書館のように多数の書架が並んでいるような場合には、設置個数が多くなるので、全量としては多大な費用がかかるということになる。したがって、安価でありながら、このような免震装置と同程度の効果を発揮できるような地震対策が望まれる。
【先行技術文献】
【特許文献】
【０００６】
【特許文献１】特許第４９３６９０３号
【発明の概要】
【発明が解決しようとする課題】
【０００７】
上記のような事情に鑑み、本発明は、一般的な免震装置よりも簡易な構造でありながら、地震による被害を抑えることができる制振性を備えた書架を提供することを目的としている。
【課題を解決するための手段】
【０００８】
上記の目的を達成するために本発明の書架は、側板と、その側板同士を繋ぐフレームと、棚板と、を有する書架であって、棚板の背面側に背板を備え、その背板がバネ材からなるダンパーを介してフレームに接続されていることとする。
【０００９】
ここで背板が樹脂製のハニカムコアサンドイッチパネルからなることとしたり、ダンパーが防振ゴムからなることにしたりするとよい。
【発明の効果】
【００１０】
本発明の書架によれば、背板が制振パネルとして機能するので、書架に制振構造を付加することになり、地震被害を抑制することができるという効果を奏する。
【図面の簡単な説明】
【００１１】
【図１】本発明の書架の斜視図である。
【図２】本発明の書架の正面図である。
【図３】棚板の取付方法を説明する図である。
【図４】背板の構造を説明する図である。
【図５】書架に設置できる免震装置の一例であり、（ａ）は平面図、（ｂ）は正面図である。
【発明を実施するための形態】
【００１２】
以下、本発明の実施の形態を添付図面を参照して説明する。
【００１３】
図１は、本発明の書架の斜視図であり、図２は、本発明の書架の正面図である。なお、説明し易くするために、図１、図２では、向かって左側は棚板１３を外した状態、右側は棚板を取付けた状態とし、図２は上半分程度のみ示した。
【００１４】
本発明の書架１０の基本構造は、側板１１、フレーム１２、棚板１３、背板２０で構成される。側板１１、フレーム１２及び棚板１３の素材は、スチール製や木製など特に限定せず、例えば、フレーム１２と棚板１３をスチール製とし、側板１１を木製とするような組合せにしてもよい。
【００１５】
側板１１は、収納する書籍を左右方向から挟む方向に垂直に立てられた板材であり、柱としての役目を果たす。隣り合う側板１１は、フレーム１２で繋がれ、上方から見ると側板１１に対しフレーム１２が直角に接続している。つまり、フレーム１２と側板１１は、上方から見てＨ形状又はコの字形状になるので、全体として自立できることになる。なお、側板１１の下端にゴム等の弾性材を取付け、床面からの地震動の伝達を低減させることもできる。また、図１はＨ形状の図であり、図書館用の書架１０では、Ｈ形状のものが多いので、Ｈ形状の書架を例に説明する。
【００１６】
フレーム１２は、垂直方向の２辺と水平方向の２辺からなる四角形の枠材である。フレーム１２の垂直方向の２辺は、側板１１の中心に沿って側板１１に結合され、水平方向の２辺は、隣り合う側板１１を、側板１１の上側と下側で連結する構造になっている。
【００１７】
棚板１３は、上方から見てフレーム１２と２枚の側板１１，１１で三方を囲まれた空間に設置される。つまり、Ｈ形状の書架１０の場合は、上方から見ると、フレーム１２を境に対称的に棚板１３が設置されることになる。
【００１８】
棚板１３の取付方法としては、例えば棚受けレールと受け具を用いた方法がある。図３は、棚板の取付方法を説明する図である。棚受けレール１４は側板１１の表面に垂直方向に設けられたレール状の部材で、その棚板レール１４に受け具１５の爪１５ａを引っ掛けて係止できる構造になっている。そして、棚板レール１４に引っ掛けた受け具１５の上に棚板１３を置くことで、棚板１３の重さで棚板レール１４と受け具１５との係止を安定させることができる。なお、受け具の爪１５ａを引っ掛ける箇所が、棚受けレール１４の高さ方向に複数設けられていることで、棚板１３を所望の高さに設置可能とする。
【００１９】
背板２０は、フレーム１２の４辺が形成している四角形の内側に取付けられる板状の部材である。背板２０は、棚板１３の背面側に備えられてあり、書籍が棚板１３の後方に落下するのを防いだり、棚の間仕切りとしての役目を果たしたりするものである。つまり、棚板１３がフレーム１２を境に対称的に設けられている場合は、その対称的な棚板１３の間にあって、表と裏の棚を間仕切りすることになる。
【００２０】
ここで、背板２０を制振パネルとして機能させることで、書架に制振構造を付加し、地震動を吸収することが可能となる。制振パネルとして機能するためには、フレーム１２と背板２０との結合に、防振ゴム等のバネ材からなるダンパー２１を用いるとよい。そのような構造にすれば、地震動が入力されたときに背板２０が振動し、その振動がダンパー２１によって減衰されるので、地震動が吸収され、制振の効果が得られることになる。ダンパー２１の取付位置としては、例えば、背板２０の四隅をフレーム１２の四隅に接続するように設けるとよい。
【００２１】
特に、背板を制振パネルとして機能させる場合には、地震動により背板が棚板等に衝突する可能性が高いので、背板は軽くて丈夫な素材とするのが好ましい。そこで、例えば、背板としてハニカムコアで構成された板材（ハニカムコアサンドイッチパネル）を用いるとよい。図４は、背板の構造を説明する図である。この背板２０は、ハニカムコア２０ｂを上下のスキン２０ａ，２０ａで挟んだハニカムコアサンドイッチパネルである。背板２０の材質も特に限定はしないが、ハニカムコアサンドイッチパネルとしてポリプロピレンなどの樹脂製のものが存在し、そのようなポリプロピレン樹脂で成形されたハニカムコアサンドイッチパネルであれば、軽量で単位重量当たりの強度に優れているので、背板２０として使用するのに適している。また、微かに透過性があるため、図書館では書籍の隙間から書架の反対側に人がいるのを認識することができたり、館内を明るくできたりするといったメリットもある。
【００２２】
以上の通り、背板を制振パネルにすることで、簡易な構造で、書架に制振性を付加することが可能となる。そして、それぞれの側板の間に制振パネルが設置されることになるので、図書館のように書架が連続しているような構造であっても、個々の制振パネルが機能し、書架全体がうねったりせず、書架の倒壊等の地震被害を効率よく防ぐことができる。
【符号の説明】
【００２３】
１０ 書架
１１ 側板
１２ フレーム
１３ 棚板
１４ 棚受けレール
１５ 受け具
２０ 背板
２１ ダンパー
【図１】
2019044805.tif 000003
【図２】
2019044805.tif 000004
【図３】
2019044805.tif 000005
【図４】
2019044805.tif 000006
【図５】
2019044805.tif 000007